(57)【要約】【課題】成型と組み立てのしやすさや、切れ味や、使い勝手、コンパクトさ、デザイン性などを向上させ、初心者でも容易に使いこなせる食品包装用ラップフィルム用の詰替容器を提供する。【解決手段】サイドキャップをロックレバーとフレキシブル丁番とスペーサーと軸穴に放射状に切れ目を設けた回転圧板を内蔵したバヨネット式に改め、切断具Ａ取り付け用の溝を片側が鉛直で傾斜側に畔状の突起を有するＶ字溝とし、切断具Ｂ取り付け用の溝を近接して並行する線状突起又は溝を有するＶ字溝として、切断具Ｂには長手方向片側を棒縁で補強した薄手で低剛性の焼き入れリボンを用い、前後蓋体裏面に蓋体牽引フックを、フィルム引き出し口前縁に円弧状の切り欠きを、本体底辺に指掛かりと置き脚を兼ねた小突起を形成し、化粧カバーで覆ったエプロン部を前方上方へ仰向けて設ける。【選択図】図１
2011116449.tif 000002
【特許請求の範囲】
【請求項１】
巻回された食品包装用ラップフィルムを回転自在に収納する円筒状本体（１′）の上面と前面をエプロン部（７′）と曲面体からなる中折れ式蓋体（４′）で開閉自在に覆い、両端を回転圧板（１０′）を有する跳ね上げ式のサイドキャップ（８′）で開閉自在に閉じ、焼き入れリボンの切片からなるＡＢ対をなす切断具の切断具Ａ（１１′ａ）をＸ字状に形成してエプロン部（７′）裏面に、切断具Ｂ（１１′ｂ）を横一直線状に形成して本体（１′）前面上部の曲面部に設け、上記中折れ式蓋体（４′）を介して切断具Ａ（１１′ａ）をその回転方向と回転半径を変化させながら回動させることによって、対向して噛み合う切断具ＡＢ（１１′ａ、１１′ｂ）の稜角同士を連続して点的に接触させ、以て、両者間に引き出された食品包装用ラップフィルムを挟み切ることを特徴とする特許第４１４３９３４号の食品包装用ラップフィルム用の詰替容器（特許文献１参照）において、従来の本体（１′）両端部に嵌め込まれたブラケット（２′）を廃して、サイドキャップ（２０）をロックレバー（２６）とフレキシブル丁番（３０）とスペーサー（３７）と軸穴に放射状に切れ目を設けた回転圧板（３５）を内蔵したバヨネット式に改め、エプロン部（４０）裏面の切断具Ａ（５０ａ）取り付け用の溝を片側が鉛直で傾斜側に畔状の突起（５８）を有する断面形状Ｖ字形のＶ字溝（５１ａ）とし、本体（１）前面上部の切断具Ｂ（５０ｂ）取り付け用の溝を近接して並行する線状突起又は溝（５２）を有するＶ字溝（５１ｂ）として、該切断具Ｂ（５０ｂ）には長手方向片側を断面形状Ｓ字形の棒縁（５６）で補強した薄手で低剛性の焼き入れリボンを用い、前後蓋体（４１、４２）裏面に中折れ部を挟んで対向する蓋体牽引フック（４４、４５）を、フィルム引き出し口（３）前縁に円弧状の切り欠き（４）を、本体（１）底辺中央部に指掛かりと置き脚を兼ねた小突起（１１）を形成して、エプロン部（４０）を人間工学的に掴み取りやすい角度で前方上方へ上向かせ、該エプロン部（４０）前面を化粧カバー（５３）で覆ってなる食品包装用ラップフィルム用の詰替容器。
【請求項２】
請求項１記載のロックレバー（２６）又はフレキシブル丁番（３０）を内蔵してなる蓋体。
【発明の詳細な説明】
【技術分野】
【０００１】  本発明は切断具に焼き入れリボンを用いた食品包装用ラップフィルム用の詰替容器に関する。
【背景技術】
【０００２】  従来の切断具に焼き入れリボンを用いた食品包装用ラップフィルム用の詰替容器としては特許第４１４３９３４号がある（特許文献１参照）。【０００３】  以下、図７、図８により、従来の詰替容器について説明する。図において、従来の切断具に焼き入れリボンを用いた食品包装用ラップフィルム用の詰替容器は、巻回された食品包装用ラップフィルムを回転自在に収納する円筒状本体１′の上面と前面をエプロン部７′と曲面体からなる中折れ式蓋体４′で開閉自在に覆い、両端を回転圧板１０′を有する跳ね上げ式のサイドキャップ８′で開閉自在に閉じ、焼き入れリボンの切片からなるＡＢ対をなす切断具の切断具Ａ１１′ａをＸ字状に形成してエプロン部７′裏面に、切断具Ｂ１１′ｂを横一直線状に形成して本体１′前面上部の曲面部に設け、上記中折れ式蓋体４′を介して切断具Ａ１１′ａをその回転方向と回転半径を変化させながら回動させることによって、対向して噛み合う切断具ＡＢ１１′ａ、１１′ｂの稜角同士を連続して点的に接触させ、以て、両者間に引き出された食品包装用ラップフィルムを挟み切るようにしている。そして、バヨネット式のブラケット２′を介して、中折れ式蓋体４′と切断具Ｂ１１′ｂとサイドキャップ８′を本体１′に嵌め込み式に取り付け、ブラケット２′底辺を置き脚兼丁番部１４′として、サイドキャップ８′を頭頂の留め具９′で係止し、厚手で高剛性の焼き入れリボンからなる切断具ＡＢ１１′ａ、１１′ｂをエプロン部７′裏面と本体１′前面上部に設けた傾斜溝１２′に嵌め込んで固定し、フィルム引き出し口１３′前縁をわずかに山型に形成して、前部蓋体５′と一体成型したエプロン部７′を本体１′前面に鉛直に設けている。また、特許文献１の明細書［００４５］において、「中折れ式蓋体４′にバネ又は弾性体を設けてエプロン部７′を常時内側へ限定的に屈曲させ、該蓋体４′を閉じただけで引き出したフィルムが切断できるようにしてもよい」としている。
【先行技術文献】
【特許文献】
【０００４】
【特許文献１】  特許第４１４３９３４号
【発明の概要】
【発明が解決しようとする課題】
【０００５】  以上に述べた従来の食品包装用ラップフィルム用の詰替容器においては、バヨネット嵌め込み式のブラケット２′や、サイドキャップ８′、切断具取り付け用の傾斜溝１２′などの構成が複雑で成型と組み立てがしにくく、ブラケット２′底辺の置き脚を兼ねた丁番部１４′やサイドキャップ８′頭頂の留め具９′がコンパクトさを損ね、厚手で高剛性の焼き入れリボンを用いた切断具ＡＢ１１′ａ、１１′ｂの切れ味は円滑さを欠き、わずかに山型に形成したフィルム引き出し口１３′前縁は、過度に粘着したフィルムの切り口がつまみ取りにくく、一体に成型されたエプロン部７′と前部蓋体５′は、質感の差異化が困難で外観デザインの自由度を制限し、鉛直に設けたエプロン部７′は人間工学的に合理性を欠き、上記の明細書においては、「中折れ式蓋体４′にバネ又は弾性体を設けてエプロン部７′を常時内側へ限定的に屈曲させ、該蓋体４′を閉じただけで引き出したフィルムが切断できるようにしてもよい」としながら、その実施例が示されておらず、初心者が使いこなすには慣れを必要とするといった問題があった。【０００６】  本発明はこのような従来の構成が有していた問題を解決しようというものであり、成型と組み立てのしやすさや、切れ味や、使い勝手、コンパクトさ、デザイン性などを向上させ、示されていなかった実施例を示すことによって、初心者でも容易に使いこなせる食品包装用ラップフィルム用の詰替容器を実現することを目的とするものである。
【課題を解決するための手段】
【０００７】  そして、上記目的を達成するために、本発明は従来の本体両端部のブラケットを廃し、サイドキャップをロックレバーとフレキシブル丁番とスペーサーと回転圧板を内蔵したバヨネット式に改め、エプロン部裏面の切断具Ａ取り付け用の溝を片側が鉛直で傾斜側に畔状の突起を有する断面形状Ｖ字形のＶ字溝とし、本体１前面上部の切断具Ｂ取り付け用の溝を近接して平行する線状突起又は溝を有するＶ字溝として、該切断具Ｂには長手方向片側を断面形状Ｓ字形の棒縁で補強した薄手で低剛性の焼き入れリボンを用い、前後蓋体裏面に中折れ部を挟んで蓋体牽引フックを、フィルム引き出し口前縁に円弧状の切り欠きを、本体底辺中央部に指掛かりと置き脚を兼ねた小突起を形成して、エプロン部を人間工学的に掴み取りやすい角度で前方上方へ上向かせ、該エプロン部を化粧カバーで覆っている。【０００８】  上記の主な解決手段による作用は次のとおりである。すなわち、従来のブラケットを廃した本体とバヨネット式サイドキャップは、構成を単純化してコンパクト化に寄与し、切断具Ａ取り付け用の片側が鉛直で傾斜側に畔状の突起を有するＶ字溝と、切断具Ｂ取り付け用の線状突起又は溝を有するＶ字溝は、成型と組み立てを容易にし、切断具Ｂの薄手で低剛性の焼き入れリボンは、稜角上の微細な凹凸を吸収して切れ味を円滑にする。また、フィルム引き出し口前縁の円弧状の切り欠きは、過剰に粘着したフィルムの切り口をつまみ取りやすくし、指掛かりと置き脚を兼ねた本体底辺の小突起は、コンパクト化に寄与して本体を滑りにくくするとともに、人間工学的に理に適った掴み取りやすい角度でエプロン部を前方上方へ上向かせ、その前面を覆う化粧カバーは、一体成型したエプロン部と前部蓋体との質感の差異化を可能にしてデザイン性を向上させ、前後蓋体裏面に中折れ部を挟んで設けた蓋体牽引フックは、ゴムリング又はバネリングを懸架されてエプロン部を常時内側へ屈曲させ、適度に力を添えて該エプロン部を押し出すだけでフィルムが切れるようにして、初心者でも容易に使いこなせるようにする。
【発明の効果】
【０００９】  上述したように本発明の食品包装用ラップフィルム用の詰替容器は、成型と組み立てのしやすさや、切れ味や、使い勝手、コンパクトさ、デザイン性などを向上させ、初心者でも容易に使いこなせるようにしたものである。
【図面の簡単な説明】
【００１０】
【図１】本発明の詰替容器（蓋体開放時）を示した斜視図である。
【図２】同詰替容器（サイドキャップ開放時）を示した斜視図である。
【図３】（ａ）同本体前面を示した斜視図である。（ｂ）同本体背面を示した斜視図である。
【図４】同サイドキャップの構成を示した斜視図である。
【図５】同中折れ式蓋体（裏面）の構成を示した斜視図と部分断面図である。
【図６】（ａ）同切断具Ａの構成を示した斜視図である。（ｂ）同切断具Ｂの構成を示した斜視図と部分拡大図である。
【図７】従来の詰替容器（蓋体開放時）を示した斜視図である。
【図８】同詰替容器（サイドキャップ開放時）を示した斜視図である。
【発明を実施するための形態】
【実施例】
【００１１】  以下、本発明の実施の形態を図１〜図８に基づいて説明する。【００１２】  図１〜図３に示す実施例において、本発明の本体１は、従来同様巻き回された食品包装用ラップフィルムを回転自在に収納する円筒状体の両端部内面に、小口から内側に向けてサイドキャップ２０のバヨネット爪２３が嵌合する３個のＬ字溝２を形成し、その頂点に位置するＬ字溝２に近接して、ロックレバー２６が嵌合してバヨネットをロックするコの字形の切り欠き５ａを、フィルム引き出し口３前縁に円弧状の切り欠き４を、前面上部に切断具Ｂ５０ｂ取り付け用のＶ字溝５１ｂと近接して並行する線状突起又は溝５２を、背面両側に後部蓋体４２後端の同様突起が嵌合して蓋体丁番４８を形成するマカロニ状突起を、その下の底辺寄りにフレキシブル丁番３０先端部が固定される平型スリーブ８と、該丁番屈曲部３２の当接する切り欠き５ｂを、底辺中央部の前方寄りに指掛かりと置き脚を兼ねた小突起１１を、それぞれ形成して設ける。【００１３】  上記のロックレバー２６が嵌合してバヨネットをロックする断面形状コの字形の切り欠き５ａは、バヨネット爪２３がＬ字溝２に十分に嵌り切った状態で、後述の外殻２１裏面の断面形状逆向きのコ字形の切り欠き２７と向かい合わせに合体して断面形状〔〕形の開口部を形成するように設け、指掛かりと置き足を兼ねた小突起１１は、組み付けられたエプロン部４０前面が、本体１ともども人間工学的に掴み取りやすい角度で前方上方へ上向いて置かれるように適切な厚みの３角山型に形成して設ける。切断具Ｂ５０ｂ取り付け用のＶ字溝５１ｂと近接して並行する線状突起又は溝５２は、後述の切断具Ｂ５０ｂ補強用の棒縁５６の上下段を嵌め込んで固定するにふさわしい形状に設ける。Ｌ字溝２の数はサイドキャップ２０側のバヨネット爪２３の数と併せて必ずしも３個に限らなくてもよい。フィルム引き出し口３前縁の円弧状の切り欠き４は、通常とは逆向きに回転するように装填されたロール（特許文献１明細書［００４３］参照）から引き出されたフィルムが該切り欠き４上で二重になって露出し、過剰に粘着した切り口近傍をつまみ取りやすくする。平型スリーブ８の開口部はフレキシブル丁番３０の厚みに合わせてスリット状に形成し、上面に該丁番３０先端部に設けた抜け止め３４の嵌合する小窓９を形成して設ける。【００１４】  図１、図２と図４に示す実施例において、本発明のサイドキャップ２０は、本体１両端の小口に当接して開閉自在に係止される円盤状体を外殻２１として、その裏面に、３個ののバヨネット爪２３を等間隔に配したフランジ状のバヨネットリング２２と、頭頂部のくびれた回転軸２４を一体に形成し、該回転軸２４に、ロックレバー２６と、フレキシブル丁番３０と、スペーサー３７と、回転圧板３５を順次嵌め込んで設ける。【００１５】  上記バヨネットリング２２は、その頂点のバヨネット爪２３と外殻２１裏面に挟まれた円環部に、内側から外側へ向けて幅狭のスリット状開口部２５ａを貫通させ、その延長上にある外殻２１外縁裏面を断面形状コの字形に切り欠いて、バヨネット開閉に際して押し返されたロックレバー２６先端部が一時的に嵌合して待避する切り欠き２７を設ける。また、左右のバヨネット爪２３、��３に挟まれたバヨネットリング２２底辺の円環部には、回動するサイドキャップ２０に対して固定されて直交するフレキシブル丁番３０を通すために、幅広のスリット状開口部２５ｂを設ける。その際、該開口部２５ｂの間口は、本体１両端に左右相称に固定されるフレキシブル丁番３０への対応として、バヨネット開閉に要するサイドキャップ２０の回転角よりフレキシブル丁番３０中間部の幅の分だけ幅広にとり、さらにその両端からその分だけ内側へ入った２カ所に、円環部上面から外殻裏面の適切な深度まで貫通させて抜け止め付きピン３９挿入用の小穴３８、３８を設ける。このようにして設けられた余分な空間は、サイドキャップ２０が本体１両端に取り付けられた際、各自の幅広のスリット状開口部２５ｂにおいて左右相称に異なった側に生じるので、組み付けに際しては、あらかじめ適切な側の小穴３８を選んで抜け止め付きのピン３９を
2011116449.tif 000003
ャップ２０開放時の外殻２１の徒な回転が排除され、サイドキャップ２０を閉じる際にＬ字溝２とバヨネット爪２３が合わせやすくなるとともに、部品としての外殻２１を左右共用として、コストの削減にも役立つ。なお、幅狭と幅広のスリット状開口部２５ａ、２５ｂの内側の角は、いずれも面取りをして、ロックレバー２６又はフレキシブル丁番３０を差し込みやすくする。【００１６】  ロックレバー２６は硬質の板状弾性体で片口のスパナー型に形成し、その開口部をＵ字型に形成して軸穴２８とし、持ち手に相当する部分の付け根側を幅広に、先端部を幅狭に形成して、わずかに内側へ屈曲させて設ける。その際、該先端部の長さは、幅狭のスリット状開口部２５ａに通して、その頭頂部がサイドキャップ２０の頂点から必要最小限に、指先をかけて引くに十分なだけ露出するものとする。該ロックレバー２６先端部は、本体１側の切り欠き５ａに嵌合してバヨネットをロックする。【００１７】  フレキシブル丁番３０は折り曲げ耐性に富んだ板状弾性体を帯状に成型し、その幅を段階的に狭めて最も幅広の部分に適切な余裕を持たせた縦長の軸穴３１を設け、次に広い中
2011116449.tif 000004
止め３４を形成して設ける。上記回転軸２４に嵌め込まれた縦長の軸穴３１は長手方向にスライドして伸縮自在とし、屈曲部３２はサイドキャップ２０を開閉自在に支持する。該屈曲部３２には適宜折り線などを設けてもよい。【００１８】  スペーサー３７は、上記回転軸２４に見合った軸穴を有する適切な長さの砲弾型に形成して設ける。ロール装着時のスペーサー３７は、回転圧板３５の押圧力を受けて同軸に嵌め込まれたロックレバー２６とフレキシブル丁番３０を固定し、サイドキャップ２０開放時は、該丁番３０のスライドを妨げない程度に押さえて固定する。【００１９】  回転圧板３５は、従来同様適度の剛性を有する弾性体でプロペラ型に形成し、軸穴３６に放射状に切れ目を設けて成型する。頭頂部のくびれた回転軸２４に該軸穴３６を押し込んで回転自在に取り付けられた回転圧板３５は、同軸に嵌め込まれたロックレバー２６とフレキシブル丁番３０とスペーサー３７を固定して抜け止めとしても機能する。該回転圧板３５は、収納されたフィルムロールを両端部から回転自在に支持する。【００２０】  本発明のサイドキャップ２０は以上のように構成されているで、これを組み付けるには、上述のように本体１両端のいずれの側に供するかであらかじめ適切な側の小穴３８に抜け止め付きのピン３９を挿入固定しておいた外殻２１に、まず、ロックレバー２６先端部をバヨネットリング２２頂点の幅狭のスリット状開口部２５ａに差し込んでＵ字型の軸穴２８を回転軸２４に嵌め込み、ついで、フレキシブル丁番３０の先端部を該リング２２底辺の幅広のスリット状開口部２５ｂに通して外部へ露出させながら縦長の軸穴３１を回転軸２４に嵌め込み、最後に、スペーサー３７と回転圧板３５を順次回転軸２４に嵌め込んで係止した後、底辺から突き出た抜け止め３４の付いた先端部を平型スリーブ８に挿入して固定すればよい。ボールペンの先などで抜け止め３４を押し込んで引けば、フレキシブル丁番３０は容易に抜き取ることができる。【００２１】  サイドキャップ２０開放時、上記のロックレバー２６は上述のように幅狭のスリット状開口部のバヨネット爪２３側に寄せられているが、サイドキャップ２０が押し込まれて該バヨネット爪２３が本体１側のＬ字溝２に進入すると、レバー頭頂を本体１側の小口に押し返されて外殻２１裏面の一時待避用切り欠き２７内に嵌入し、そのままサイドキャップ２０とともに押し回しにされ、バヨネット爪２３がＬ字溝２に嵌り切って、本体１側の切り欠き５ａと一時待避切り欠き２７が対向して合体した瞬間、本体１側の切り欠き５ａに嵌入してバヨネットをロックする。ロックを解除してサイドキャップ２０を開放するには、頂点に露出したレバー頭頂を指先で手前へ引きながらサイドキャップ２０を逆回しにすればよい。サイドキャップ２０の開閉は左右逆回しとなる。フレキシブル丁番３０は通常型の丁番ほど左右上下の開角を限定しないので、ロールの装填や巻き芯の排出時の妨げとなるサイドキャップ２０を柔軟に脇へ押しやることができる。【００２２】  図１、図２と図５に示す実施例において、エプロン部４０は従来同様前部蓋体４１と一体に成型して、片側が鉛直で傾斜側に畔状の突起５８を有する断面形状Ｖ字形のＶ字溝５１ａを��断具Ａ５０ａ取り付け用の溝とし、その前面をアルミ板又は樹脂板などで成型した化粧カバー５３で覆って設け、本体１底辺の指掛かりと置き脚を兼ねた小突起１１を介して、本体１ともども人間工学的に掴み取りやすい角度で前方上方へ仰向かせて設ける。エプロン部４０裏面の前部蓋体４１との境には開閉時の緩衝材としてフェルト５４などを貼付し、前面中央部にはエラストマーゴムなどを貼付して滑り止め５５とする。【００２３】  図１と図５に示す実施例において、従来示されていなかった「エプロン部を常時内側へ屈曲させ」る実施例として、本発明においては、前後蓋体４１、４２裏面に中折れ部丁番４９を介して屈曲する中折れ部を挟んで２点係止と１点係止の蓋体牽引フック４４、４５を対向させて設ける。その際、該フック４４、４５はいずれもできるだけ平板に設け、蓋体閉止時はフィルム引き出し口３前縁の円弧状切り欠き４と後縁間に嵌入して装着したフィルムロールに抵触しないものとする。以上のように形成された蓋体牽引フック４４、４５は、適切な強度のゴムリング又はバネリング４６を懸架されてエプロン部４０を常時内側へ屈曲させ、適度に力を添えてエプロン部４０を押し出すだけで引き出したフィルムを切断できるようにするとともに、初心者でも容易に使いこなせるようにする。【００２４】  図５と図６（ａ）に示す実施例において、本発明の切断具Ａ５０ａは従来同様厚さ０．４ミリ前後の厚手で高剛性の焼き入れリボンの切片６０ａを用い、両端部を適切に成形して左右切片の交点に相欠き５９を設け、幅方向へ傾斜させてＸ字状に形成し、裏面をエプロン部４０裏面に設けたＶ字溝５１ａの傾斜側に両面テープで粘着し、底辺を鉛直側の底辺に突き当てて固定して設ける。幅方向へ傾斜してＸ字状に組みつけられた切断具Ａ５０ａは、長手方向底辺をＶ字溝底辺の鉛直壁に固定され、剛性を補強されて、Ｖ字溝５１ａから外れて抜け出すことはない。【００２５】  図１、図３（ａ）と図６（ｂ）に示す実施例において、切断具Ｂ５０ｂは厚さ０．２ミリ前後の薄手で低剛性の焼き入れリボンの切片６０ｂを用い、長手方向片側を断面形状Ｓ字形の棒縁５６の上段に嵌め込んでカシメるなどして設け、上段を本体１前面上部の曲面部に設けた切断具Ｂ５０ｂ取り付け用のＶ字溝５１ｂに、下段を近接して並行する線状突起又は溝５２に突き当て又は嵌め込んで両面テープで固定し、両端部をビス５７などで固定して設ける。棒縁５６は適切な剛性を有するアルミ又は樹脂などを用いて上段開口部を狭く、下段開口部を広くとって成型する。以上のように構成された薄手で低剛性の切断具Ｂ５０ｂによって、互いに摺動し合う切断具ＡＢ５０ａ、５０ｂの稜角上の微細な凹凸が吸収され、切れ味が円滑となる。【００２６】  なお、サイドキャップ２０閉止時の見当として、本体１両端頂点部のＬ字溝２の位置する円筒部外面とサイドキャップ２０頂点部のバヨネット爪２３近傍には目印１４を設ける。また、中折れ部丁番４９と蓋体丁番４８とフレキシブル丁番３０は、通常型の丁番を後付けにして設けてもよい。折り曲げ耐性に富んだ素材で、前後蓋体４１と４２同士、又は前後蓋体４１、４２と本体１同士、又はサイドキャップ２０と本体１同士を一体に成型し、その接続部を適切に薄く形成して丁番部とすることも可能である。【００２７】  以上のように、本実施形態によれば、成型と組み立てのしやすさや、切れ味、使い勝手、コンパクトさ、デザイン性などが向上し、初心者でも容易に使いこなせる食品包装用ラップフィルム用の詰替容器となるものである。
【符号の説明】
【００２８】  １  本体
２  Ｌ字溝
４  円弧状の切り欠き
５ａ  ロックレバー嵌合用切り欠き
５ｂ  フレキシブル丁番嵌合用切り欠き
８  平型スリーブ
１１  指掛かりと置き脚を兼ねた小突起
２０  サイドキャップ
２１  外殻
２２  バヨネットリング
２３  バヨネット爪
２５ａ  幅狭のスリット状開口部
２５ｂ  幅広のスリット状開口部
２６  ロックレバー
２７  ロックレバー一時退避用切り欠き
３０  フレキシブル丁番
３５  回転圧板
３７  スペーサー
４０  エプロン部
４１  前部蓋体
４２  後部蓋体
４４  ２点係止蓋体牽引フック
４５  １点係止蓋体牽引フック
５０ａ  切断具Ａ
５０ｂ  切断具Ｂ
５１ａ  切断具Ａ取り付け用Ｖ字溝
５１ｂ  切断具Ｂ取り付け用Ｖ字溝
５３  化粧カバー
５６  棒縁
１′  従来の本体
２′  同ブラケット
７′  同エプロン部
８′  同サイドキャップ
１１′ａ  同切断具Ａ
１１′ｂ  同切断具Ｂ
【図１】
2011116449.tif 000005
【図２】
2011116449.tif 000006
【図３】
2011116449.tif 000007
【図４】
2011116449.tif 000008
【図５】
2011116449.tif 000009
【図６】
2011116449.tif 000010
【図７】
2011116449.tif 000011
【図８】
2011116449.tif 000012
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
巻回された食品包装用ラップフィルムを回転自在に収納する円筒状本体（１′）の上面と前面をエプロン部（７′）と曲面体からなる中折れ式蓋体（４′）で開閉自在に覆い、両端を回転圧板（１０′）を有する跳ね上げ式のサイドキャップ（８′）で開閉自在に閉じ、焼き入れリボンの切片からなるＡＢ対をなす切断具の切断具Ａ（１１′ａ）をＸ字状に形成してエプロン部（７′）裏面に、切断具Ｂ（１１′ｂ）を横一直線状に形成して本体（１′）前面上部の曲面部に設け、上記中折れ式蓋体（４′）を介して切断具Ａ（１１′ａ）をその回転方向と回転半径を変化させながら回動させることによって、対向して噛み合う切断具ＡＢ（１１′ａ、１１′ｂ）の稜角同士を連続して点的に接触させ、以て、両者間に引き出された食品包装用ラップフィルムを挟み切る食品包装用ラップフィルム用の詰替容器において、従来の本体（１′）両端部に嵌め込まれたブラケット（２′）を廃して、サイドキャップ（２０）をロックレバー（２６）とフレキシブル丁番（３０）とスペーサー（３７）と軸穴に放射状に切れ目を設けた回転圧板（３５）を内蔵したバヨネット式に改め、エプロン部（４０）裏面の切断具Ａ（５０ａ）取り付け用の溝を片側が鉛直で傾斜側に畔状の突起（５８）を有する断面形状Ｖ字形のＶ字溝（５１ａ）とし、本体（１）前面上部の切断具Ｂ（５０ｂ）取り付け用の溝を近接して並行する線状突起又は溝（５２）を有するＶ字溝（５１ｂ）として、該切断具Ｂ（５０ｂ）には長手方向片側を断面形状Ｓ字形の棒縁（５６）で補強した薄手で低剛性の焼き入れリボンを用い、前後蓋体（４１、４２）裏面に中折れ部を挟んで対向する蓋体牽引フック（４４、４５）を、フィルム引き出し口（３）前縁に円弧状の切り欠き（４）を、本体（１）底辺中央部に指掛かりと置き脚を兼ねた小突起（１１）を形成して、エプロン部（４０）を人間工学的に掴み取りやすい角度で前方上方へ上向かせ、該エプロン部（４０）前面を化粧カバー（５３）で覆ってなる食品包装用ラップフィルム用の詰替容器。